(57)【特許請求の範囲】
【請求項１】
サステインパルスの発光回数により階調表示を行うフィールド期間時分割階調表示方式を用いた映像信号の表示方法であって、入力映像信号に任意の信号レベルをフィールド毎に交互に加減し、入力映像信号に任意の信号レベルが加算されたフィールドにおいては、サステインパルス数を減数させ、任意の信号レベルが減算されたフィールドにおいては、サステインパルス数を増数させるディスプレイパネルの映像表示方法。
【請求項２】
サステインパルス数の変更は、各サブフィールドから一定の割合で増減させる請求項１記載のディスプレイパネルの映像表示方法。
【請求項３】
サステインパルス数の変更は、各サブフィールドの使用回数に比例して増減させる請求項１または請求項２記載のディスプレイパネルの映像表示方法。
【請求項４】
任意の信号レベルの重畳は、入力映像信号の信号レベルを予め設定された複数の領域に分割し、前記分割された領域毎に重み付けされた信号レベルを重畳する請求項１乃至３のいずれかに記載のディスプレイパネルの映像表示方法。
【請求項５】
サステインパルスの発光回数により階調表示を行うフィールド期間時分割階調表示方式を用いた映像信号のディスプレイパネルの映像表示装置であって、入力映像信号に任意の信号レベルをフィールド毎に交互に加減算を行う任意レベル重畳手段と、任意の信号レベルを加算されたフィールドでは減数したサステインパルスを選択し、任意の信号レベルを減算されたフィールドでは増数したサステインパルスを選択するデータ処理手段と、を有するディスプレイパネルの映像表示装置。
【請求項６】
サステインパルスの発光回数により階調表示を行うフィールド期間時分割階調表示方式を用いた映像信号のディスプレイパネルの映像表示装置であって、入力される入力映像信号の信号レベルを予め設定された複数の領域に分割する領域分割手段と、前記分割した領域の信号レベル毎に任意の信号レベルをフィールド毎に交互に加減算を行う任意レベル重畳手段と、任意の信号レベルを加算されたフィールドではサステインパルスを減数したサブフィールドを選択し、任意の信号レベルを減算されたフィールドではサステインパルスを増数したサブフィールドを選択するデータ処理手段と、を有することを特徴とするディスプレイパネルの映像表示装置。
【発明の詳細な説明】
【０００１】
【発明の属する技術分野】
本発明は、プラズマディスプレイパネル（以下、ＰＤＰと記述）や液晶ディスプレイパネル（以下、ＬＣＤと記述）の様なディスプレイにおいて、フィールド期間時分割階調表示方式により、動画像の中間調を表示する際に生じる擬似輪郭の発生を低減する方法に関するものである。
【０００２】
【従来の技術】
ＰＤＰに中間調表示する場合において、一般に表示発光のために印加されるパルス（以下、サステインパルスと記述）の発光回数を入力映像信号に比例させるフィールド期間時分割階調表示方式が用いられている。具体的には、入力映像信号をディジタル化し、そのビット数で各フィールド画面を分割してＮ枚のサブフィールド（以下、ＳＦと記述）画面を作り、各サブフィールド画面で重み付けに比例した回数のサステインパルスを、印加発光させることにより階調表示を行う。この重み付けの比率は、Ｎの値が８ならば、１：２：４：８：１６：３２：６４：１２８となり、それぞれをSF０、SF１、 SF２、 SF３、 SF４、 SF５、 SF６、 SF７と呼ぶ。
【０００３】
図８に、ＰＤＰにおいて２５６階調（８ビット）を表示する場合の、フィールド期間時分割階調表示方法における表示用パルスの発光状態の概念図を示す。横軸は時間を示す。１フィールド期間（約１／６０秒）は８つのサブフィールドに分割され、各サブフィールドは任意の画素を選択するためのアドレス期間と、選択した画素を表示発光させるサステイン期間により構成される。この各サブフィールドはフィールド期間内で、予め決められたタイミングでしか発光できないため、各サブフィールドは１フィールド期間に時間的に広がった発光となる。
【０００４】
次に、擬似輪郭の発生原理について説明する。図９（ａ）は横軸がＰＤＰ上の１ライン分の発光位置を示し、縦軸は１フィールド単位の時間を示す。１フィールドでの発光は画素番号１、２が信号レベル１２８（SF７のみの発光）、画素番号３から１１までが信号レベル１２７（SF０からSF６までの発光）の発光を示している。
【０００５】
また、図９（ｂ）各サブフィールドの発光状態を人間の網膜上に積分される状態と擬似輪郭の発生位置を示す。この発光状態を左から右に、２画素／フィールドの速度で移動させると、フィールド間で時間的に広がっていた発光が、人間の視線８０１が移動する事により空間的な広がりとなり、隣接する画素のサブフィールドの発光状態に、大きな偏りがあると擬似輪郭が発生する。図９（ｂ）の状態では、信号レベル１２７と１２８の境界において、SF７の発光の有無により、空間的に広がったサブフィールドに疎の部分ができるために、暗線の擬似輪郭の発生となる。さらに、このフィールド毎に連続的に発生する擬似輪郭を、人間の網膜上の同じ位置に積分する事で強く暗線および明線の擬似輪郭を感じることになる。
【０００６】
上記のような擬似輪郭に対する対策として各種の提案がされており、特開平６-３０１３５３号公報には画像領域をN×M画素（N、Mは整数、例えば５×５）に区切り、空間周波数の小さい（階調の変化がなだらかである）ところにのみ、最小階調値のn／N×M （n=１、２、３、・・・、N×M）だけを周期的に、例えば１／２５、２５／２５、２／２５、２４／２５、・・・１４／２５、１５／２５のように変調させ、画像の乱れを改善する方法である。しかし、変調量は大きい程、画像の乱れの改善効果は高く、変調量を周期的に変化させる場合に、変調量が少ない部分が含まれると、画像の乱れの効果は急激に低下する。また、空間周波数が大きくても画像の乱れは発生し、移動速度の上昇とともに画像の乱れは拡大する。
【０００７】
また、電子情報通信学会大会講演論文集、VOL.1996,No.Society C2 Page.66 1996、「ＰＤＰの動画偽輪郭低減に関する一検討」においては、表示する入力信号に対して、表示画素毎に水平、垂直、時間方向にお互いが逆特性となるように任意レベルの信号変調を行い、時間方向の平均レベルが本来の信号レベルになる様にフィールド毎に特性を逆転させる。これにより、上下左右、かつ時間方向に隣り合う画素は、不連続な信号レベルを表示する事になる。ここで、人間の眼球は、その平均値により本来の映像信号を認識することより、擬似輪郭を分散させる方法である。しかし、不連続な信号レベルは、動画像の移動速度によっては時間方向において逆特性が表示されずに、同一特性の表示が連続することがあり、解像度の低下を招く事がある。
例えば、１画素毎に逆特性の表示をしている場合には、動画像の移動速度が１フィールドにつき２ｎ画素（n=０、１、２、、、）で、移動方向が水平方向であると、表示される映像信号は時間方向には特性が反転していない事になり、結果として格子状の斑が発生する。
【０００８】
【発明が解決しようとする課題】
このように、従来技術における動画像をＰＤＰに表示する際に発生する擬似輪郭の改善に関する技術は、補正処理に伴い「ちらつきの発生」あるいは「格子状の斑」が生じる等の課題があった。
【０００９】
本発明は、上記の課題を解決するもので、フィールド内時分割階調表示方式により、中間調表示を行うディスプレイパネル（例えばＰＤＰ）において、動画像を表示する際に発生する擬似輪郭を減少させ、高画質なディスプレイパネルの映像表示方法およびその装置を提供する事を目的とする。
【００１０】
【課題を解決するための手段】
この課題を解決するために、本発明は以下のような手段を講じた。
【００１１】
本発明の請求項１に記載の発明は、サステインパルスの発光回数により階調表示を行うフィールド期間時分割階調表示方式を用いた映像信号の表示方法であって、入力映像信号に任意の信号レベルをフィールド毎に交互に加減し、入力映像信号に任意の信号レベルが加算されたフィールドにおいては、サステインパルスを減数させ、任意の信号レベルが減算されたフィールドにおいては、サステインパルスを増数させるという構成を採る。
この構成によれば、人間の網膜上に積分される擬似輪郭と呼ばれる画像の乱れを、フィールド毎に任意の信号レベルの加算若しくは減算し、これに対応してサステインパルス数を減数もしくは増数することより、分散し、入力映像信号のレベルを問わずに、擬似輪郭による画質の低下を防ぎ、高画質化を図る事ができ、さらに処理の計算時間および回路構成等を簡単に出来る。
【００１３】
請求項２に記載の発明は、請求項１記載のディスプレイパネルの映像表示方法であって、サステインパルス数の変更は、各サブフィールドから一定の割合で増減させるという構成を採る。
この構成により、任意の信号レベルが加算若しくは減算された後に、階調性を損なうことなくフリッカの発生を抑制し、高画質化を図る事が出来る。
【００１４】
請求項３に記載の発明は、請求項1または請求項２記載のディスプレイパネルの映像表示方法であって、サステインパルス数の変更は、各サブフィールドの使用回数に比例して増減させるという構成を採る。
この構成により、任意の信号レベルが加算若しくは減算された後に、階調性を損なうことなくフリッカの発生を抑制し、高画質化を図る事が出来る。
【００１５】
請求項４に記載の発明は、請求項１乃至３のいずれかに記載のディスプレイパネルの映像表示方法であって、任意の信号レベルの重畳は、入力映像信号の信号レベルを予め設定された複数の領域に分割し、前記分割された領域毎に重み付けされた信号レベルを重畳するという構成を採る。
この構成により、任意の信号レベルが加算若しくは減算された後に、階調性を損なうことなくフリッカの発生を抑制し、高画質化を図る事が出来る。
【００１６】
請求項５に記載の発明は、サステインパルスの発光回数により階調表示を行うフィールド期間時分割階調表示方式を用いた映像信号のディスプレイパネルの映像表示装置であって、入力映像信号に任意の信号レベルをフィールド毎に交互に加減算を行う任意レベル重畳手段と、任意の信号レベルを加算されたフィールドでは減数したサステインパルスを選択し、任意の信号レベルを減算されたフィールドでは増数したサステインパルスを選択するデータ処理手段とを有するという構成を採る。
この構成によれば、人間の網膜上に積分される擬似輪郭と呼ばれる画像の乱れを、フィールド毎に任意の信号レベルの加算若しくは減算し、これに対応してサステインパルス数を減数もしくは増数することより、分散し、入力映像信号のレベルを問わずに、擬似輪郭による画質の低下を防ぎ、高画質化を図る事ができ、さらに処理の計算時間および回路構成等を簡単に出来る。
請求項６記載の発明は、サステインパルスの発光回数により階調表示を行うフィールド期間時分割階調表示方式を用いた映像信号のディスプレイパネルの映像表示装置であって、入力される入力映像信号の信号レベルを予め設定された複数の領域に分割する領域分割手段と、前記分割した領域の信号レベル毎に任意の信号レベルをフィールド毎に交互に加減算を行う任意レベル重畳手段と、任意の信号レベルを加算されたフィールドではサステインパルスを減数したサブフィールドを選択し、任意の信号レベルを減算されたフィールドではサステインパルスを増数したサブフィールドを選択するデータ処理手段とを有するという構成を採る。
この構成により、人間の網膜上に積分される擬似輪郭と呼ばれる画像の乱れを分散し、入力映像信号のレベルを問わずに、擬似輪郭による画質の低下を防ぎ、高画質化を図る事ができ、さらに処理の計算時間および回路構成等を簡単に出来る。
【００１７】
【発明の実施の形態】
以下に本発明の実施の形態について、図１から図７を用いて説明する。
【００１８】
（実施の形態）
以下に、本発明におけるディスプレイパネルの映像表示方式およびその装置の具体例を、図面を参照しながら詳細に説明する。
【００１９】
本発明の基本的な技術思想は、１フィールドの画像をサステインパルス数が異なる複数個のサブフィールドから構成しているフィールド期間時分割階調表示方法において、入力映像信号に任意の信号レベルをフィールド毎に加算若しくは減算し、信号レベルが加算されたフィールドはサステインパルス数を減数させ、信号レベルが減算されたフィールドはサステインパルス数を増数させることにより、疑似輪郭を抑制させるものである。
【００２０】
疑似輪郭の抑制の考え方は、擬似輪郭がフィールド毎に連続して発生し、人間の網膜上の同一個所に積分されるので、擬似輪郭をフィールド毎に異なる位置に発生させれば、網膜上に積分される擬似輪郭の発生個所は２個所になるが、同一個所の擬似輪郭は２フィールドに１回の発生と発生回数は減少するため、人間の網膜上に積分される明暗線の擬似輪郭と入力映像信号との輝度差は半減し、擬似輪郭が目立たなくなるために、動画像における中間調の表示能力は向上するというものである。
【００２１】
更に詳しく説明すると、擬似輪郭は発光しているサブフィールドの構成に原因があるため、同じ信号レベルをフィールド毎に異なるサブフィールドで構成できれば、擬似輪郭を低減する事が可能となる。サブフィールドの構成を変更するには、入力映像信号レベルを変化させることで対応できる。この状態を図１に示す。図１（ａ）の横軸はＰＤＰ上の１ライン分の発光位置を示し、縦軸には１フィールド単位の時間を示し、発光画素を四角で表し、その中の数字は変調後の信号レベルを示し、かっこ内の数字は入力映像信号レベルを示す。この場合は、SF７の発光の有無によりサブフィールドの空間的広がりは変化するので、信号レベル１２７と１２８が隣接する場所に擬似輪郭は発生する。ここで、発光するサブフィールドの構成を変更するためには、奇数フィールドには信号レベル２を加算し、偶数フィールドには信号レベル２を減算する。
【００２２】
また、図１（ｂ）には各サブフィールドの発光が人間の網膜上に積分される状態と擬似輪郭の発生位置を示す。任意の信号レベルを加算および減算することで、擬似輪郭は２個所に分散される。ただし、表示される画像輝度も変化するため、重畳される任意の信号レベルが大きすぎるとフリッカが発生する。なぜなら、ＰＤＰは信号レベルにより各サブフィールドサステインパルス数が決定しているためである。例えば、各サブフィールドの重み付けが１：２：４：８：１６：３２：６４：１２８である場合に、サステインパルス数を３：６：１２：２４：４８：９６：１９２：３８４とすると、信号レベルの１２７（SF０、SF１、SF２、SF３、SF４、SF５、SF６を使用）のサステインパルス数は３８１となり、信号レベル２の加算変調と減算変調を行うと信号レベルは１２１（SF０、SF７を使用）と１２５（SF０、SF３、SF４、SF５、SF６を使用）となり、サステインパルス数はそれぞれ３８７と３７５となる。このように、信号レベル変調は選択されるサブフィールドを変更し、さらに輝度（サステインパルス数）も変更している。このため、フリッカが発生する。
【００２３】
そこで、各サブフィールドのサステインパルス数を加算変調フィールド用と減算変調フィールド用を用いて、信号レベル変調により信号レベルが加算され画面輝度が上昇した場合には、サステインパルス数を減少させ画面輝度の上昇を抑制し、信号レベル変調により信号レベルが減算され画面輝度が降下した場合には、サステインパルス数を増加させ画面輝度の降下を抑制する。例えば、信号レベル１２７を信号レベル２で変調を行うと信号レベルは１２９と１２５となるが、同程度のサステインパルス数になるように、各サブフィールドのサステインパルス数を変更する。これにより、信号レベル変調により擬似輪郭は拡散され、更にフリッカの発生や解像度の低下を抑制した表示が可能になる。
【００２４】
以下に本発明の実施の形態について具体的に説明する。
図２は、本発明の実施の形態におけるディスプレイパネルの映像表示装置のブロック構成図を示している。１０１はビデオ信号をR、G、Bの各色成分に分離するビデオ信号処理部、１０２は分離されたR、G、Bの各色成分をディジタル信号に変換するA/D変換部、１０３はディジタル信号に変換されたデータを保存するメモリ部、１０４は各RGBの信号レベルに予め設定されたしきい値を基に、変調量を決定する信号レベルによる変調量判定部、１０５はビデオ信号から同期信号を抽出する同期信号分離部、１０６は分離された同期信号を基に、１フィールド（約１６.６ms）のタイミングパルスを生成するタイミング発生部、１０７はタイミング発生部１０６の信号を基に、奇数フィールドと偶数フィールドを判断出来る信号を生成するフィールド判定信号発生部、１０８は信号レベルによる変調量判定部１０４の変調信号と、フィールド判定信号発生部１０７のフィールド判定信号とメモリ部１０３のディジタル化されたビデオ信号を基に、例えば、奇数フィールドには加算変調を行い、偶数フィールドには減算変調を行うデータ処理部、１０９はデータ処理部１０８で作成されたデータとフィールド判定信号発生部１０７のフィールド判定信号を基に、加算変調されたフィールドには減数されたサステインパルスを用い、減算変調されたフィールドには増数されたサステインパルスを用いて、各サブフィールドの信号データを作成する出力処理部、出力処理部１０９で作成されたディジタルデータは、Ｘスキャンドライバ１１０およびＹスキャンドライバ１１１にパルス印加データとして入力し、１１２はＰＤＰで構成された中間調表示を行う映像表示部である。
【００２５】
上記のように構成されたディスプレイパネルの映像表示装置について詳細に説明する。
【００２６】
ビデオ信号処理部１０１は、ビデオ信号をR、G、Bの各色成分に分離する。Ａ/Ｄ変換部１０２は、ビデオ信号処理部１０１で分離されたR、G、Bの各色成分をディジタル信号に変換する。メモリ部１０３は、ビデオ信号処理部１０１からのディジタル信号に変換された各色成分のデータを保存する。同期信号分離部１０５は、ビデオ信号から処理に必要な同期信号を抽出する。タイミング発生部１０６は、同期信号分離部１０５で分離された同期信号を基に、１フィールド（約１６.６ms）のタイミング信号を生成する。フィールド判定信号発生部１０７は、タイミング発生部１０６からのタイミング信号を基に、奇数フィールドと偶数フィールドを判断するフィールド判定信号を生成する。
【００２７】
信号レベルによる変調量判定部１０４は、各ＲＧＢの信号レベルに予め設定された領域に分割し、分割された領域に応じて変調量を決定し変調信号を出力する。
【００２８】
データ処理部１０８は、信号レベルによる変調量判定部１０４の変調信号と、フィールド判定信号発生部１０７のフィールド判定信号を基に、メモリ部１０３のディジタル化されたビデオ信号に対して、例えば、奇数フィールドには加算変調を行い、偶数フィールドには減算変調を行う。
【００２９】
出力処理部１０９は、データ処理部１０８で作成されたデータとフィールド判定信号発生部１０７のフィールド判定信号を基に、加算変調されたフィールドには減数されたサステインパルスを用い、または減算変調されたフィールドには増数されたサステインパルスを用いて、各サブフィールドの信号データを作成する。出力処理部１０９で作成されたディジタルデータは、Ｘスキャンドライバ１１０およびＹスキャンドライバ１１１にパルス印加データとして入力する。映像表示部１１２は、ＰＤＰで構成され、出力処理部１０９で作成されたディジタルデータを基に中間調表示を行うものである。
【００３０】
まず、信号レベルによる変調量判定部１０４について、図３を用いて詳細に説明する。信号レベルによる変調量判定部１０４は、入力映像信号レベルを入力し、入力映像信号レベルに応じて重畳する任意の信号レベルである変調量を出力するもので、図３に示すように入力映像信号レベルと変調量の関係を予めテーブル３０１にすることにより、容易に実現することができる。
【００３１】
次に、データ処理部１０８について、図４を用いて詳細に説明する。
データ処理部１０８は、入力映像信号レベルに任意の信号レベルである変調量を重畳する処理を行うものである。データ処理部１０８に入力された入力映像信号レベルは、加算器４０１および減算器４０２により信号レベルによる変調量判定部１０４からの変調量を加算および減算される。
次に、フィールド判定信号発生部１０７のフィールド判定信号を基に、加算器４０１か減算器４０２からの出力信号を選択回路４０３で選択する。例えば、奇数フィールドは変調量を加算し、偶数フィールドは減算するように選択する。ただし、リミッタ回路４０４により重畳後の信号レベルが０以下ならば信号レベルは０とし、重畳後の信号レベルが２５５以上ならば信号レベルは２５５とするように制限して、映像信号レベルを出力する。
【００３２】
次に、各サブフィールドのサステインパルス数の変更方法について詳しく説明する。各信号レベルにおいて、使用されるサブフィールド数が８個の場合を図５に示す。図５は、横軸に映像信号レベルを示し、縦軸にはこの映像信号レベルで使用されるサブフィールドを示す。このように、使用されるサブフィールド数は信号レベルの増加に一致しておらず、２進数の桁が繰り上がるごとに、使用されるサブフィールド数は大きな増減を繰り返す。例えば、信号レベルが１２７から１２８に変化する場合に、発光するサブフィールド数は７個から１個に減少する。
この時に、サステインパルス数が極端に変化すると階調性の低下を招くもので、階調性を低下させないサステインパルス数の変更方法は、同じ割合で各サブフィールドから増減させることである。
【００３３】
ここで、一定数の変更をした場合のサステインパルス数の変更方法の例を（表１）に示す。サステインパルス数を２づつ増減させると、フィールド１は１、４、１０、２２、４６、９４、１９０、３８２となり、フィールド２は５、８、１４、２６、５０、９８、１９４、３８６となるが、フィールド１の組とフィールド２の組でテーブルとし、フィールド毎に切り替えるようにしても良い。ここで、信号レベル１２７と１２８は、フィールド１のサステインパルス数は３６７と３８２となり、フィールド２では３９５と３８６となり、使用するサブフィールド数に依存して部分的にサステインパルス数が著しく増加または、減少する個所が発生し階調性の低下を招くことがある。
【００３４】
【表１】
0003767130.tif 000002
【００３５】
次に、各サブフィールド毎に一定の割合で加数または減数するサステインパルス数の変更方法の例を（表２）に示す。例えば、変調量を６信号レベルとしたとき、サステインパルス数は３×６=１８となる。この値の割合を、総サステインパルス数７６５を基準として計算すると、（１８／７６５）×１００≒２.３５％となる。この割合を各サブフィールドのサステインパルスに乗算すると、各サブフィールド変更サステインパルス数は、０.０７、０.１４１、０.２８１、０.５６３、１.１２５、２.２５、４.５、９となる。（表２）に示すように、フィールド１のサステインパルス数は、３、６、１２、２３、４７、９４、１８８、３７５とし、フィールド２のサステインパルス数は、３、６、１２、２５、４９、９８、１９７、３９３とする。例えば、信号レベル１２７と１２８は、フィールド１のサステインパルス数は３７３と３７５となり、フィールド２では３９０と３９３となり、信号レベルの増加に対して、サステインパルス数は極端な増加および減少は発生しないために、階調性の低下を招くこともなく、疑似輪郭の発生もなく高画質な表示を可能とするものである。
【００３６】
【表２】
0003767130.tif 000003
【００３７】
次に、サブフィールドの使用回数に比例してサステインパルス数の変更する例について説明する。なお、上記ではＮの値が８である場合の例を示したが、Ｎの値が８より大きい場合に、重み付けは２進数的に増加する必要はない。例えば、Ｎの値が１０ならば１：２：４：８：１６：３２：４８：４８：４８：４８や１：２：４：８：１６：２４：３２：４０：５６：７２等となり、それぞれをSF０、SF１、SF２、SF３、SF４、SF５、SF６、SF７、SF８、SF９と呼び、各サブフィールドの使用状況により信号レベルのしきい値、サステインパルス数の変更量および信号レベル変調量をＮ＝１０に適用することも容易に実現できる。
【００３８】
（表３）に非２進数型のＮ＝１０（１：２：４：８：１６：２４：３２：４０：５６：７２）の場合のサブフィールドの使用回数に比例してサステインパルス数の変更する具体例を示す。サブフィールドの使用回数とは、映像信号レベル０〜２５５の各々の信号レベルで、どのサブフィールドを使用するかをサブフィールド毎に集計したもので、Ｎ＝１０の場合は信号レベルによりサブフィールドの組合せが複数になる場合があるが多く使われる方を選択するものとする。例えば、信号レベル１２８の場合は、サブフィールドの組合せが７２、５６の場合と３２、４０、５６の場合および１６、２４、３２、５６の場合があり、サブフィールドが多く使われる１６、２４、３２、５６の組合せを選択するものである。
【００３９】
【表３】
0003767130.tif 000004
【００４０】
次に、最適な変調量の決定方法について説明する。
図６は、各サブフィールドに一定の割合でサステインパルスを加数または減数したときのサステインパルスの変更数と映像信号レベルの関係を示す。図６の横軸は映像信号レベルを示し、縦軸はサステインパルスの変更数を示している。ここで、映像信号レベルに依存することなく、サステインパルスの変更数が一定であれば、映像信号レベルの変調量もフィールド内で一定に処理可能となり、擬似輪郭の拡散も効果的に行えるが、図６から判るように、サステインパルスの変更数と映像信号レベルの関係は、低い信号レベルでは、サステインパルスの変更数は少なく、高い信号レベルにおいてサステインパルスの変更数は多くなるように、各サブフィールドに一定の割合でサステインパルスを加数または減数している。これは、映像信号レベルに変調量を重畳した際に発生するフリッカを抑制するためであり、映像信号レベルに応じて変調量を決定することにより効果的に疑似輪郭の拡散およびフリッカの抑制が行われ、高画質な映像を表示することができるようになる。具体的には、低い信号レベルでは変調量が少なく、高い信号レベルでは変調量が多くなるように決定している。
【００４１】
（表４）に、入力映像信号レベルと変調量の関係の一例を示す。入力映像信号レベルは、（表４）に示すような領域に分割し、各領域毎に変調量を決定している。変調量は、変調後にサステインパルス数の差が±３以下に収まるように、図７から求めた。また、変調量は、映像信号レベルに加算若しくは減算しても、フリッカの抑制ができる変調量を設定している。この変調量とサステインパルス数の変更を行うことで、擬似輪郭を拡散し、フリッカを抑制し、かつ解像度の低下のない表示が可能となる。
【００４２】
【表４】
0003767130.tif 000005
【００４３】
また、本発明では、フリッカの発生の目安をサステインパルス数差３として、信号レベル変調量を決定しており、変調後のサステインパルス数の差と映像信号レベルの関係を図７に示す。図７は、横軸が信号レベルを示し、変調後のサステインパルス数の差を示す。図７から判るように、変調後のサステインパルス数の差が±３までの間に収まる変調量とするもので、このために、低い信号レベルでは変調量が少なく、また高い信号レベルでは変調量が多くなるように設定するものである。
【００４４】
また、サブフィールドを非２進数型のＮ＝１０とした場合は、（表５）に示す入力映像信号レベルと変調量の関係を用いると効果的である。
【００４５】
【表５】
0003767130.tif 000006
【００４６】
【発明の効果】
以上の様に本発明による映像表示方法によれば、１フィールドの画像をサステインパルス数が異なる複数個のサブフィールドから構成しているフィールド期間時分割階調表示方法において、フィールド毎に入力映像信号に任意の信号レベルを用いてフィールド毎に加算若しくは減算を行い、信号レベルが加算されたフィールドはサステインパルス数を減数させ、信号レベルが減算されたフィールドはサステインパルス数を増数させ、フリッカを抑制し、擬似輪郭の発生位置を拡散し、人間の眼球に積分される明線や暗線の強度を低下させることで、動画像でも高画質な表示が可能となる。
【００４７】
また、回路構成が簡便なことから計算処理が高速で、かつ回路規模が小さく高速・小型化が可能なディスプレイパネルの映像表示装置を提供することができる。
【図面の簡単な説明】
【図１】（ａ）本発明の技術的思想を説明する図
（ｂ）本発明の発光状態が網膜上に積分される状態を示す図
【図２】本発明の実施の形態におけるディスプレイパネルの映像表示装置のブロック構成図
【図３】信号レベルによる変調量判定部の詳細ブロック図
【図４】データ処理部の詳細ブロック図
【図５】本発明の信号レベルと発光に使用されるサブフィールド数の関係を示す図
【図６】本発明の信号レベルとサステインパルスの変更数の関係を示す図
【図７】本発明の信号レベルと信号レベル変調後におけるフィールド間のサステインパルス数の差の関係を示す図
【図８】従来技術のフィールド期間時分割階調表示方式の概念図
【図９】（ａ）ＰＤＰに動画像を表示する際の空間的な偏りが存在する事を説明する図
（ｂ）従来の発光状態が網膜上に積分される状態を示す図
【符号の説明】
１０１  デオ信号処理部
１０２  Ａ／Ｄ変換部
１０３  メモリ部
１０４  信号レベルによる変調量判定部
１０５  データ処理部
１０６  同期信号分離部
１０７  タイミング発生部
１０８  フィールド判定信号発生部
１０９  出力処理部
１１０  Ｘスキャンドライバ
１１１  Ｙスキャンドライバ
１１２  映像表示部
３０１  テーブル
４０１  加算器
４０２  減算器
４０３  選択回路
４０４  リミッタ回路
８０１  視線
【図１】
0003767130.tif 000007
【図２】
0003767130.tif 000008
【図３】
0003767130.tif 000009
【図４】
0003767130.tif 000010
【図５】
0003767130.tif 000011
【図６】
0003767130.tif 000012
【図７】
0003767130.tif 000013
【図８】
0003767130.tif 000014
【図９】
0003767130.tif 000015